(57)【要約】【課題】学童机に使用されている従来の木質系天板を再生するに際して、熟練度を要せず、安価で先生、児童、生徒など素人でも容易に再生することを目的とする。【解決手段】メラミン樹脂化粧板を木質系天板に、両面粘着テープと弾性接着剤を介して貼着する。また、両面粘着テープの貼着箇所はメラミン樹脂化粧板の裏面の周囲、及び前記メラミン樹脂化粧板の短手方向に２分割される中央とする。メラミン樹脂化粧板の４隅は１４〜２２Ｒの丸みを持たせる。メラミン樹脂化粧板の裏面の周囲に塗布される弾性接着剤の塗布量は木質系天板と重ね合わせた時、両者の境目部分から弾性接着剤が溢れ出る程度とする。【選択図】  図２
2012228331.tif 000002
【特許請求の範囲】
【請求項１】
メラミン樹脂化粧板が木質系天板に、両面粘着テープと弾性接着剤を介して貼着されてなることを特徴とする天板。
【請求項２】
前記両面粘着テープの貼着箇所が前記メラミン樹脂化粧板の裏面の周囲、及び前記メラミン樹脂化粧板の短手方向に二分割される中央であることを特徴とする請求項１記載の天板。
【請求項３】
木質系天板に両面粘着テープと弾性接着剤を介してメラミン樹脂化粧板を貼着することを特徴とする天板の再生方法。
【請求項４】
前記両面粘着テープの貼着箇所がメラミン樹脂化粧板の周囲、及び前記メラミン樹脂化粧板の短手方向に二分割される中央であることを特徴とする請求項３記載の天板の再生方法。
【発明の詳細な説明】
【技術分野】
【０００１】
本発明は教育現場で使用されている学童机の再生に関し、特に再生された天板、及び再生方法に関する。
【背景技術】
【０００２】
これまで学校教育現場で使用されている学童用の机があり、集成材、木質材からなる天板の表面に傷、凹み、割れなどが発生した場合、教育予算の範囲内で新品に買い替えることが行われていた。
【特許文献１】実用新案登録第３１４９２５２号
【特許文献２】特開２００７−７７６８７号公報
【特許文献３】実用新案登録第３１１７９５０号
【特許文献４】実開昭６３−１７６３５号公報
【発明の開示】
【発明が解決しようとする課題】
【０００３】
しかしながら、天板を新品に買い替えるともなると膨大な費用を要し、そう頻繁に交換できるものではなく、児童達は不具合のある天板で、学習することを余儀なくされていた。
【０００４】
これを解消しようとして天板の表面に、ＡＢＳ樹脂製カバー（アクリルニトリルブチレンスチレン樹脂）をコーキング材で接着しているがコーキング材を塗布した波が出る。
また、メラミン樹脂化粧板をゴム系接着剤で張り合わす場合は、天板表面の塗料を除去するためにサンダー掛け等を行わなければならず、その結果、粉塵が発生し、騒音が激しいといった問題があった。
その他、接着剤の塗布、サンダーなど専門の工具を必要とし、専門の業者に委託しなければならないといった問題があり、手間がかかり、素人では容易に施工できなかった。
【０００５】
更にＡＢＳ樹脂製カバーの表面は微細な凹凸があり、直に紙を置いて鉛筆で文字を書くとギザギザになるという欠点があった。また、割れる欠点も指摘されている。
【課題を解決するための手段】
【０００６】
本発明はかかる状況に鑑み検討されたもので、安価で簡単に素人でも天板を再生することを目的とし、木質系天板のサイズに合わせたメラミン樹脂化粧板を、両面粘着テープと弾性接着剤を介して接着されてなることを特徴とする天板である。
【発明の効果】
【０００７】
本発明の天板によれば、長年使用していた木質系天板の表面に破損、凹み、傷が生じても、メラミン樹脂化粧板で被覆するため、木質系天板といった天然資源を破棄する必要がない。しかも従来の木質系天板をリユースでき、木質系天板を再生することができる。
【０００８】
また、施工方法について述べれば、両面粘着テープ、弾性接着剤を用いるといった簡単な施工であるため、熟練度を要さず、先生、児童、生徒など素人でも容易にメラミン樹脂化粧板を貼ることができる。
【０００９】
更に、施工する際にはサンダー掛けを必要としないため粉塵、騒音が発生することがない。
【００１０】
更にまた、メラミン樹脂化粧板を用いているので、児童、生徒の嗜好にあった色、柄を選別でき、意匠的にも見栄えのあるものとなる。
【００１１】
加えて、天板の表面はメラミン樹脂化粧板で被覆されているため、紙を直において鉛筆で文字を書いても文字がギザギザになることがなく、下敷きが不要である。以下、本発明について詳細に説明する。
【発明を実施するための最良の形態】
【００１２】
再生の対象となる天板は、ＭＤＦ、合板、パーティクルボード、集成材などの学童机の天板用の木質系基材のものが適用できる。
【００１３】
本発明のメラミン樹脂化粧板は紙、織布、不織布などの繊維質基材にメラミン樹脂やフェノール樹脂或はこれらの混合物を主成分とする樹脂液し、乾燥したコア材と、メラミン樹脂含浸パターン紙とを積層し、熱圧成形したものが適用でき、使用中に怪我のないようにするため厚みは１．０ｍｍ〜５ｍｍで、４隅を天板の曲面に沿って、例えば１４〜２２Ｒで面取り加工したものが適用できる。
【００１４】
特に厚みが３〜５ｍｍ程度のものについては側面をテーパー加工してテーパー面を設けて、４隅は前記同様１４〜２２Ｒの丸みを持たせると手、腕、脚などをぶつけても怪我がなくより安全である。
【００１５】
厚みが１．０〜５ｍｍの範囲であれば、面取り加工やテーパー加工がしやすい上、耐衝撃性に優れ、寸法変化も少なく、両面テープ、専用弾性接着剤の跡が目立たない。
【００１６】
前記のメラミン樹脂化粧板を木質系天板に貼り合わす際には、両面粘着テープと、接着剤として、メラミン樹脂化粧板の温度、湿度による寸法収縮に追従しやすい弾性接着剤、具体的には変性シリコーン樹脂接着剤を用いると、耐水性、接着強度、耐久性、施工性などに優れ好ましい。両面粘着テープはメラミン化粧板側に貼る。両面粘着テープを用いることによりメラミン樹脂化粧板が木質系天板から浮くのを防ぐことができる。
【００１７】
変性シリコーン樹脂接着剤などの弾性接着剤は前記両面粘着テープより厚くなるように塗布する。このようにすることで、メラミン樹脂化粧板が木質系天板の上に置かれたとき、両面粘着テープによりメラミン樹脂化粧板が引っ張られ、弾性接着剤とメラミン樹脂化粧板とがしっかりと密着する。
【００１８】
メラミン樹脂化粧板の裏面には、周囲に二重に弾性接着剤を塗布し、メラミン樹脂化粧板が浮かないようにその内側に両面粘着テープを貼着し、更に短手方向に二分割する中央にも両面粘着テープを貼着する。周囲の両面粘着テープは、周縁に二重に塗布された弾性接着剤の堰となり木質系天板に圧着された時に弾性接着剤が外側に溢れ出る役目をも果たす。更に両面粘着テープで囲まれた領域にも弾性接着剤をジグザグ状に塗布する。しかる後、木質系天板の表面に積層して圧着する。圧着は１０ｋｇ／面程度の荷重を掛ければよく、１〜２日程度、常温で放置すれば弾性接着剤が硬化する。また、荷重は他の机を天板の表面同士が当接するように倒立させてもよい。
【００１９】
メラミン樹脂化粧板の裏面の周囲に塗布される弾性接着剤の塗布量は木質系天板と重ね合わせた時、両者の境目部分から弾性接着剤が溢れ出る程度がよく、圧着後に弾性接着剤が未硬化な場合はウエス、タオルなどで拭き取る。硬化している場合はカッターで切り取る。このような処理を行えば境目から湿気が入ることもなく、天板が長持ちする。
【実施例１】
【００２０】
表面を保護フィルムで被覆された厚み３ｍｍ、木目柄のメラミン樹脂化粧板（品番ＡＩ−２２０ＺＧ、商品名コンパクト、アイカ工業株式会社製）を長さ５９０ｍｍ、幅３９０ｍｍにＮＣ加工機で４隅が１８Ｒ（半径１８ｍｍの１／４円）カットし、４つの周面をダウンスロープ状にテーパー加工してテーパー面を設けた。
【００２１】
次いで、作業台の上に前述のメラミン樹脂化粧板の表面を下にして、図２に示すように４つの周縁に弾性接着剤として変性シリコーン樹脂接着剤（商品名ＳＥ−１、アイカ工業株式会社製）を二重にかつ直線状に塗布し、周辺及び短手方向に二分割される中央に厚み１ｍｍのアクリル系の両面粘着テープを貼着し、更に両面粘着テープで囲まれた二つの領域にも同様の変性シリコーン樹脂系接着剤をジグザク状に塗布した。尚、変性シリコーン樹脂接着剤は両面粘着テープの厚みより高くなるようにして天板と重ね合わせた時、メラミン樹脂化粧板が両面粘着テープに引っ張られて接着剤が展延しやすいようにした。
【００２２】
次いで、学童机の傷んだ木質系（集成合板）の天板の表面に、前記の両面粘着テープが貼着され、弾性接着剤が塗布されたメラミン樹脂化粧板を重ね合わせて置き、同様に処理した机を倒立させて積み重ねて圧着し、集成合板とメラミン樹脂化粧板の境目から溢れ出た弾性接着剤をウエスで拭き取り、常温で１日放置した。しかる後、倒立させた学童机を降ろし、保護フィルムを除去した。
【実施例２】
【００２３】
厚み１．２ｍｍ、木目柄のメラミン樹脂化粧板（品番ＡＹ−１０１９ＢＧ、アイカ工業株式会社製）を長さ５９０ｍｍ、幅３９０ｍｍの矩形にカットし、これを６枚重ねて４隅が１８Ｒ（半径１８ｍｍの１／４円）になるように４隅のみＮＣ加工機で切削した。
その後は、実施例１と同様に天板に接着加工した。
【図面の簡単な説明】
【００２４】
【図１】実施例１で用いたメラミン樹脂化粧板の断面図。
【図２】施工する際のメラミン樹脂化粧板の透視平面図。
【図３】天板の上にメラミン樹脂化粧板を貼着した再生天板の構成断面図。
【図４】本発明による学童机の斜視図。
【符号の説明】
【００２５】
１  メラミン樹脂化粧板
２  テーパー面
３  弾性接着剤
５  両面粘着テープ
６  境目
７  天板
８  再生天板
９  学童机
【図１】
2012228331.tif 000003
【図２】
2012228331.tif 000004
【図３】
2012228331.tif 000005
【図４】
2012228331.tif 000006